(57)【要約】      （修正有）【課題】映像に埋め込まれた「埋め込み文字」と電子機器で作成されたＯＳＤ表示が、表示画面上で重なって表示されることを防止する。【解決手段】映像に係る映像信号を受信し、前記映像に文字が含まれるかを検出し、文字が含まれる場合は、前記映像における文字の位置に係る情報を取得する位置情報取得部を備える。前記映像に重畳表示するＯＳＤ表示を作成し、出力するＯＳＤ表示出力部を備える。前記取得された文字の位置情報を用い、前記文字と前記ＯＳＤ表示が重なるかを検出し、前記文字と前記ＯＳＤ表示が重なると検出された場合は、前記文字と前記ＯＳＤ表示が重ならないように前記ＯＳＤ表示をずらして出力するよう制御する。【選択図】図４
2012253470.tif 000002
【特許請求の範囲】
【請求項１】
映像に係る映像信号を受信し、前記映像に文字が含まれるかを検出し、文字が含まれる
場合は、前記映像における文字の位置に係る情報を取得する位置情報取得部と、
前記映像に重畳表示するＯＳＤ表示を作成し、出力するＯＳＤ表示出力部と、
前記取得された文字の位置情報を用い、前記文字と前記ＯＳＤ表示が重なるかを検出し
、前記文字と前記ＯＳＤ表示が重なると検出された場合は、前記文字と前記ＯＳＤ表示が
重ならないように前記ＯＳＤ表示をずらして出力するよう制御する制御部を備える電子機
器。
【請求項２】
前記映像から検出される文字は、前記映像に埋め込まれた文字である請求項１に記載の
電子機器。
【請求項３】
前記取得される文字の位置に係る情報は、前記映像における文字の表示領域に係る情報
を含む請求項１に記載の電子機器。
【請求項４】
前記文字の位置に係る情報は、少なくとも１画面分の映像から検出される請求項１に記
載の電子機器。
【請求項５】
前記ＯＳＤ表示は、表示指示を受けた場合に出力される請求項１に記載の電子機器。
【請求項６】
前記映像に文字が含まれるかの検出は、受信される映像コンテンツの切替えに応じて行
われる請求項１に記載の電子機器。
【請求項７】
前記映像に文字が含まれるかの検出は、予め決められた時間毎に行われる請求項１に記
載の電子機器。
【請求項８】
前記ずらして出力されるＯＳＤ表示は、前記映像が表示される映像表示部の周辺部近傍
に出力される請求項１に記載の電子機器。
【請求項９】
前記ずらして出力されるＯＳＤ表示は、前記映像が表示される映像表示部の角部近傍に
出力される請求項１に記載の電子機器。
【請求項１０】
映像を表示する映像表示部を備え、前記出力された前記映像と前記ＯＳＤ表示が表示さ
れる請求項１に記載の電子機器。
【請求項１１】
前記文字と前記ＯＳＤ表示が重なると検出された場合に、予め決めた時間経過後に、前
記ＯＳＤ表示をずらして出力する請求項１に記載の電子機器。
【請求項１２】
前記文字と前記ＯＳＤ表示が重なると検出された場合に、予め決めた時間経過後に、前
記ＯＳＤ表示をＯＦＦ出力する請求項１に記載の電子機器。
【請求項１３】
映像に係る映像信号を受信し、前記映像に文字が含まれるかを検出し、文字が含まれる
場合は、前記映像における文字の位置に係る情報を取得するステップと、
前記映像に重畳表示するＯＳＤ表示を作成し、出力するステップと、
前記取得された文字の位置情報を用い、前記文字と前記ＯＳＤ表示が重なるかを検出し
、前記文字と前記ＯＳＤ表示が重なると検出された場合は、前記文字と前記ＯＳＤ表示が
重ならないように前記ＯＳＤ表示をずらして出力するよう制御するステップを備える電子
機器の制御方法。
【請求項１４】
映像に係る映像信号を受信し、前記映像に文字が含まれるかを検出し、文字が含まれる
場合は、前記映像における文字の位置に係る情報を取得するステップと、
前記映像に重畳表示するＯＳＤ表示を作成し、出力するステップと、
前記取得された文字の位置情報を用い、前記文字と前記ＯＳＤ表示が重なるかを検出し
、前記文字と前記ＯＳＤ表示が重なると検出された場合は、前記文字と前記ＯＳＤ表示が
重ならないように前記ＯＳＤ表示をずらして出力するよう制御するステップを備える電子
機器の制御プログラム。
【発明の詳細な説明】
【技術分野】
【０００１】
本発明の実施形態は、電子機器、電子機器の制御方法、電子機器の制御プログラムに関
する。
【背景技術】
【０００２】
近年、放送等から映像コンテンツを受信し、映像表示部に受信した映像コンテンツに係
る映像を表示する電子機器（映像表示装置）が普及している。
上記映像コンテンツには、例えば、映像である文字、すなわち、映像に埋め込まれた文
字（「埋め込み文字」）が含まれることがある。この「埋め込み文字」は、ユーザが文字
として視認可能であるが、映像である。
【０００３】
これに対し、クローズドキャプション（closed captioning）等の字幕に係る技術があ
る。これらの字幕は、上記映像に付加したり、付加しなかったりすることが可能であり、
例えば、ユーザが、上記映像に対する文字の表示・非表示を切り替えることができる。
【０００４】
クローズドキャプションは、例えば、テレビ画面の映像上に文字（すなわち字幕）を表
示し、この文字（字幕）により、例えば、聴覚障害者や難聴の人、あるいは、英語等を理
解しにくい人等が、テレビ放送やビデオソフトを楽しむことができる技術である。
【０００５】
クローズドキャプションは、米国のNational Captioning Institute（ＮＣＩ）によっ
て開発され、米国の連邦通信委員会によって承認された米国方式のテレビ画面文字表示技
術である。
【０００６】
なお、同様に、日本の字幕放送においても、映像に対する文字の表示・非表示を切り替
えることが可能である。
すなわち、「埋め込み文字」は映像であるのに対し、クローズドキャプションや字幕放
送等で表示される字幕文字は、映像に対し、表示・非表示を切り替えることが可能な文字
である点で、「埋め込み文字」と字幕文字は異なる。
【０００７】
また、上記クローズドキャプションに対し、上記のように映像に埋め込まれた「埋め込
み文字」はオープンキャプション（Open Caption）と呼ばれることがある。
【０００８】
上記のような「埋め込み文字」は、例えば、作成者によって作成された映像コンテンツ
に埋め込まれ、テレビ画面等（映像表示部）に表示され、ユーザの利便性を向上させてい
る。
【０００９】
また、上記電子機器（映像表示装置）においては、例えば、電子機器（映像表示装置）
自身で、チャンネル情報等の所定の情報に関するＯＳＤ（オンスクリーンディスプレイ、
On Screen Display）表示を作成し、これを上記映像表示部に表示し、提供する機能を備
えるものがある。これにより、ユーザの利便性を向上させている。
【００１０】
しかし、通常、映像に埋め込まれた「埋め込み文字」と電子機器で作成されたＯＳＤ表
示は作成者が異なるため、「埋め込み文字」とＯＳＤ表示が表示画面上で重なって表示さ
れ、ユーザの利便性が低下してしまうことがあった。
【００１１】
このため、映像に埋め込まれた「埋め込み文字」と電子機器で作成されたＯＳＤ表示が
、表示画面上で重なって表示されることを防止し、ユーザの利便性を向上させることが課
題になっていた。
【先行技術文献】
【特許文献】
【００１２】
【特許文献１】特開２００１−２５７９５９号公報
【特許文献２】特開２００２−３４４８０５号公報
【発明の概要】
【発明が解決しようとする課題】
【００１３】
映像に埋め込まれた「埋め込み文字」と電子機器で作成されたＯＳＤ表示が、表示画面
上で重なって表示されることを防止し、ユーザの利便性を向上させることが課題になって
いた。
【課題を解決するための手段】
【００１４】
実施形態の電子機器は、映像に係る映像信号を受信し、前記映像に文字が含まれるかを
検出し、文字が含まれる場合は、前記映像における文字の位置に係る情報を取得する位置
情報取得部を備える。
【００１５】
また、前記映像に重畳表示するＯＳＤ表示を作成し、出力するＯＳＤ表示出力部を備え
る。
また、前記取得された文字の位置情報を用い、前記文字と前記ＯＳＤ表示が重なるかを
検出し、前記文字と前記ＯＳＤ表示が重なると検出された場合は、前記文字と前記ＯＳＤ
表示が重ならないように前記ＯＳＤ表示をずらして出力するよう制御する制御部を備える
。
【図面の簡単な説明】
【００１６】
【図１】実施形態に係わる電子機器（映像表示装置）の外観を示す図。
【図２】実施形態に係わる電子機器（映像表示装置）の構成の一例を示すブロック図。
【図３】一般的な電子機器（映像表示装置）における、映像に埋め込まれた「埋め込み文字」と電子機器で作成されたＯＳＤ表示の表示例を示す図。
【図４】実施形態に係わる電子機器（映像表示装置）における、映像に埋め込まれた「埋め込み文字」と電子機器で作成されたＯＳＤ表示の表示例を示す図。
【図５】他の実施形態に係わる電子機器（映像表示装置）における、映像に埋め込まれた「埋め込み文字」と電子機器で作成されたＯＳＤ表示の表示例を示す図。
【図６】他の実施形態に係わる電子機器（映像表示装置）における、「黒幕」が表示される場合の、映像に埋め込まれた「埋め込み文字」と電子機器で作成されたＯＳＤ表示の表示例を示す図。
【図７】他の実施形態に係わる電子機器（映像表示装置）における、映像に埋め込まれた「埋め込み文字」と電子機器で作成されたＯＳＤ表示の表示例を示す図。
【図８】他の実施形態に係わる電子機器（映像表示装置）における、映像に埋め込まれた「埋め込み文字」と電子機器で作成されたＯＳＤ表示（メニュー表示）の表示例を示す図。
【図９】他の実施形態に係わる電子機器（映像表示装置）における、映像に埋め込まれた「埋め込み文字」と電子機器で作成されたＯＳＤ表示を「字幕」に適用した場合の表示例を示す図。
【図１０】実施形態に係わる電子機器（映像表示装置）１において、「埋め込み文字」の領域を検出する検出動作の一例を説明する図。
【図１１】実施形態に係わる電子機器（映像表示装置）で利用する、一般的な文字認識技術（例えば、ＯＣＲ）の動作を説明するフローチャート。
【図１２】実施形態に係わる電子機器（映像表示装置）の動作を説明するフローチャート。
【図１３】他の実施形態に係わる電子機器（映像表示装置）の動作を説明するフローチャート。
【発明を実施するための形態】
【００１７】
以下、図面を参照し、実施の形態を説明する。
図１は、実施形態に係わる電子機器（映像表示装置）の外観を示す図である。
１はこの実施の形態に係わる電子機器（映像表示装置）である。ここでは、電子機器（
映像表示装置）１は、例えば、放送を受信し、映像を表示するテレビである。
なお、ここでは、電子機器（映像表示装置）１の一例としてテレビを用いて説明するが
、この実施の形態は、パーソナルコンピュータ（ＰＣ）や映像表示部を備える携帯型電子
機器等にも適用可能である。
【００１８】
例えば、ユーザが、電子機器（映像表示装置）１のリモコン２１を操作し、所定の入力
を行うと、リモコン２１からリモコン信号が出力され、電子機器（映像表示装置）１の操
作受信部で受信される。
【００１９】
例えば、この電子機器（映像表示装置）１の動作は、このリモコン２１から出力される
リモコン信号によって操作され、放送番組が受信され、映像表示部８への表示や放送番組
の録画、録画された放送番組の再生等が指示される。
【００２０】
図２は、実施形態に係わる電子機器（映像表示装置）の構成の一例を示すブロック図で
ある。
図２に示すように、例えば、電子機器（映像表示装置）１は、アンテナ２、チューナ３
、信号処理部４、映像処理部５、音声処理部６、表示装置７、表示画面（映像表示部）８
、スピーカ９、バス１０、制御部１１、ＭＰＵ１２、ＲＡＭ１３、ＲＯＭ１４、フラッシ
ュメモリ１５、記憶部１６、内部記録装置１７、外部インターフェース１８、操作受信部
２０、送受信部（ネットワークインターフェース）２２を備えている。
【００２１】
また、外部記憶装置１９は外部インターフェース１８を介して電子機器（映像表示装置
）１に接続される。
ユーザは、例えば、リモートコントローラ（リモコン）２１を操作する。リモコン２１
から出力されたリモコン信号は、電子機器（映像表示装置）１の操作受信部２０で受信さ
れる。
【００２２】
また、電子機器（映像表示装置）１は、ネットワーク（インターネット）２６を介して
、サーバ２７と接続される。例えば、ネットワーク（インターネット）２６を介して、イ
ンターネット放送を受信可能である。
【００２３】
ここでは、制御部１１はＭＰＵ（１２）を備え、電子機器（映像表示装置）１を制御す
る。例えば、ＲＡＭ（１３）、ＲＯＭ（１４）、フラッシュメモリ１５は、制御部１１で
行われる処理に利用される。
【００２４】
２５は放送局である。例えば、デジタル放送で放送局２５から映像コンテンツが放送さ
れる。
放送局２５から放送されたデジタル放送はチューナ３で受信され、選局処理が行われ、
デジタル信号の映像コンテンツが信号処理部４に送信される。
信号処理部４で受信されたデジタル信号の映像コンテンツは信号処理が施され、音声処
理部６および映像処理部５に送信される。
音声処理部６は信号処理が施された映像コンテンツを受信し、音声処理を施した信号を
スピーカ９に送信する。
スピーカ９は音声処理が施された信号を受信し、音声を出力する。
また、映像処理部５は信号処理が施された映像コンテンツを受信し、映像処理を施した
信号を表示装置７に送信する。
表示装置７は映像処理が施された信号を受信し、ＬＣＤパネル等で構成される表示画面
（映像表示部）８に映像を表示する。
また、この実施の形態においては、電子機器（映像表示装置）１は内部記憶装置１７を
備え、上記受信された映像コンテンツを記録することが可能である。
また、この実施の形態においては、電子機器（映像表示装置）１は上記のようにＵＳＢ
接続やＬＡＮ接続される外部記憶機器１９を備えている。上記受信された映像コンテンツ
はこの外部記憶機器１９に記録することも可能である。
【００２５】
また電子機器（映像表示装置）１に対するユーザの操作は、例えば、上記のように、リ
モコン（リモートコントローラ）２１等の操作機器によって指示される。
これらの処理は、制御部１１に制御される。
また、上記のように、電子機器（映像表示装置）１は送受信部（ネットワークインター
フェース）２２を介してサーバ２７に接続され、例えば、インターネット放送等を受信す
ることが可能である。
【００２６】
図３は、一般的な電子機器（映像表示装置）における、映像に埋め込まれた「埋め込み
文字」と電子機器で作成されたＯＳＤ表示の表示例を示す図である。
図３（ａ）は、上記のように放送番組や録画番組等の映像コンテンツに係る映像の一部
に、文字が埋め込まれた映像を示している。この映像は、例えば、映像表示部８に表示さ
れる。
【００２７】
また、この映像には、「埋め込み文字」が表示されている。この「埋め込み文字」は、
上記のように、例えば、オープンキャプションと呼ばれる。
３１は、この映像に埋め込まれた「埋め込み文字」（オープンキャプション）である。
ここでは、「埋め込み文字」（オープンキャプション）３１は、映像表示部８に表示さ
れた映像の右上角（角部）に表示されている。
この実施の形態においては、電子機器（映像表示装置）１の映像処理部５において、例
えば、チャンネル情報等の所定の情報に関するＯＳＤ（オンスクリーンディスプレイOn S
creen Display）表示を作成し、これを映像表示部８に表示する。
【００２８】
図３（ｂ）は、上記映像表示部８に表示された映像に、電子機器（映像表示装置）１で
作成されたＯＳＤ表示を重畳表示する例である。３２はＯＳＤ表示である。
このＯＳＤ表示３２は、映像表示部８に表示された映像の右上角部に表示されている。
ここでは、このＯＳＤ表示３２は、チャンネル情報等の情報が表示されている。すなわ
ち、ここでは、図３（ｂ）に示すように、表示されている映像を放送する放送のチャンネ
ル番号「１」、この放送の種別「地デジ（地上デジタル放送）」、現在の時刻「ＰＭ５：
５５」が表示されている。
【００２９】
図３（ｃ）は、上記「埋め込み文字」と上記電子機器（映像表示装置）１で作成された
ＯＳＤ表示の両者が、上記映像表示部８に表示された例を示している。
ここでは、「埋め込み文字」（オープンキャプション）３１は、映像表示部８に表示さ
れた映像の右上角部に表示されている。
また、ＯＳＤ表示３２は、映像表示部８に表示された映像の右上角部に表示され、映像に
埋め込まれた「埋め込み文字」と電子機器で作成されたＯＳＤ表示が、表示画面上で重な
って（重畳）表示され、例えば、「埋め込み文字」３１を視認しにくくなり、ユーザの利
便性が低下している。
【００３０】
図４は、実施形態に係わる電子機器（映像表示装置）における、映像に埋め込まれた「
埋め込み文字」と電子機器で作成されたＯＳＤ表示の表示例を示す図である。
図４に示すように、この実施形態においては、映像に埋め込まれた「埋め込み文字」３
１および電子機器で作成されたＯＳＤ表示３２は、両者が重ならないように、電子機器で
作成されたＯＳＤ表示３２をずらして、映像表示部８に表示出力している。
【００３１】
ここで、この実施の形態における「ずらす」とは、例えば、上記「埋め込み文字」３１
と上記ＯＳＤ表示３２が重ならないように、ＯＳＤ表示３２の表示位置を変更することで
ある。
【００３２】
そして、この実施形態においては、例えば、ＣＰＵ１２の制御により、放送番組や録画
番組等の映像に係る映像信号を受信し、この映像に文字（「埋め込み文字」）３１が含ま
れるかを検出する。
【００３３】
そして、映像に文字（「埋め込み文字」）３１が含まれる場合は、この映像における文
字（「埋め込み文字」）３１の位置に係る情報を取得する。
また、この映像に重畳表示するＯＳＤ表示を電子機器１において作成し、出力する。
また、上記取得された文字（「埋め込み文字」）３１の位置情報を用い、上記文字（「
埋め込み文字」）３１と上記電子機器１において作成されたＯＳＤ表示３２を表示しよう
とする位置が重なるかを検出する。
【００３４】
そして、上記文字（「埋め込み文字」）３１と上記電子機器１において作成されたＯＳ
Ｄ表示３２を表示しようとする位置が重なると検出された場合は、上記電子機器１におい
て作成されたＯＳＤ表示３２を表示しようとする位置を、他にずらして出力するよう制御
する。
【００３５】
ここでは、上記電子機器１において作成されたＯＳＤ表示３２を上記文字（「埋め込み
文字」）３１の下にずらして表示している。このＯＳＤ表示３２は、図４に示すように、
映像表示部８の角部近傍に表示されている。
【００３６】
なお、この実施の形態においては、上記文字（「埋め込み文字」）３１の表示における
移動は、例えば、視覚的に、アニメーション表示を行って移動させても良いし、瞬間的に
移動するように表示させても良い。
【００３７】
図５は、他の実施形態に係わる電子機器（映像表示装置）における、映像に埋め込まれ
た「埋め込み文字」と電子機器で作成されたＯＳＤ表示の表示例を示す図である。
【００３８】
図５に示すように、この実施形態においては、映像に埋め込まれた「埋め込み文字」３
１および電子機器で作成されたＯＳＤ表示３２は、両者が重ならないように、電子機器で
作成されたＯＳＤ表示３２をずらして、映像表示部８に表示出力している。
【００３９】
そして、この実施形態においては、上記と同様に、例えば、ＣＰＵ１２の制御により、
放送番組や録画番組等の映像に係る映像信号を受信し、この映像に文字（「埋め込み文字
」）３１が含まれるかを検出する。
【００４０】
そして、映像に文字（「埋め込み文字」）３１が含まれる場合は、この映像における文
字（「埋め込み文字」）３１の位置に係る情報を取得する。
また、この映像に重畳表示するＯＳＤ表示を電子機器１において作成し、出力する。
また、上記取得された文字（「埋め込み文字」）３１の位置情報を用い、上記文字（「
埋め込み文字」）３１と上記電子機器１において作成されたＯＳＤ表示３２を表示しよう
とする位置が重なるかを検出する。
【００４１】
そして、上記文字（「埋め込み文字」）３１と上記電子機器１において作成されたＯＳ
Ｄ表示３２を表示しようとする位置が重なると検出された場合は、上記電子機器１におい
て作成されたＯＳＤ表示３２を表示しようとする位置を、他にずらして出力するよう制御
する。
【００４２】
ここでは、上記電子機器１において作成されたＯＳＤ表示３２を上記文字（「埋め込み
文字」）３１の横（画面左側）にずらして表示している。このＯＳＤ表示３２は、図５に
示すように、映像表示部８の周辺部近傍に表示されている。
【００４３】
図６は、他の実施形態に係わる電子機器（映像表示装置）における、「黒帯」が表示さ
れる場合の、映像に埋め込まれた「埋め込み文字」と電子機器で作成されたＯＳＤ表示の
表示例を示す図である。
【００４４】
例えば、映画等の映像コンテンツが放送で放送される際に、図６に示すように、映像表
示部８に表示される映像の上下等に黒帯が表示されることがある。６１ａは表示される映
像の、例えば、上部に表示される黒帯である。また、６１ｂは表示される映像の、例えば
、下部に表示される黒帯である。
【００４５】
そして、ここでは、これらの黒帯６１ａ、黒帯６１ｂ以外の映像表示領域に上記映像が
表示される。
図６（ａ）は、この映像に埋め込まれた「埋め込み文字」３１と電子機器（映像表示装
置）１で作成されたＯＳＤ表示３２が、表示画面８上で重なって（重畳）表示される例を
示している。ここでは、例えば、「埋め込み文字」３１を視認しにくくなり、ユーザの利
便性が低下している。
【００４６】
この「埋め込み文字」３１とＯＳＤ表示３２は、ここでは、映像表示部８に表示された
映像の右上角部に表示されている。
図６（ｂ）は、実施形態に係わる電子機器（映像表示装置）における、映像に埋め込ま
れた「埋め込み文字」３１と電子機器で作成されたＯＳＤ表示３２の表示例を示す図であ
る。
【００４７】
図６（ｂ）に示すように、この実施形態においては、映像に埋め込まれた「埋め込み文
字」３１および電子機器で作成されたＯＳＤ表示３２は、両者が重ならないように、上記
と同様に、電子機器で作成されたＯＳＤ表示３２をずらして、映像表示部８に表示出力し
ている。
【００４８】
そして、この実施形態においては、上記電子機器１において作成されたＯＳＤ表示３２
を、上記文字（「埋め込み文字」）３１の上の、上記黒帯６１ａが表示される位置にずら
して表示している。
【００４９】
また、このＯＳＤ表示３２は、図６（ｂ）に示すように、映像表示部８の角部近傍に表
示されているが、映像表示部８の周辺部近傍の、上記黒帯６１ａが表示される位置にずら
して表示するようにしても良い。
【００５０】
また、このＯＳＤ表示３２を、例えば、上記映像の下部に表示される黒帯６１ｂが表示
される位置にずらして表示するようにしても良い（図示せず）。
図７は、他の実施形態に係わる電子機器（映像表示装置）における、映像に埋め込まれ
た「埋め込み文字」３１と電子機器で作成されたＯＳＤ表示３２の表示例を示す図である
。
【００５１】
図７（ａ）は、映像に埋め込まれた「埋め込み文字」３１と電子機器で作成されたＯＳ
Ｄ表示３２が、映像表示部８に、重複して表示された例を示している。
ここでは、上記「埋め込み文字」３１と上記ＯＳＤ表示３２は、映像表示部８に表示さ
れた映像の左上角部に表示されている。このため、例えば、「埋め込み文字」３１を視認
しにくくなり、ユーザの利便性が低下している。
【００５２】
図７（ｂ）は、他の実施形態に係わる電子機器（映像表示装置）における、映像に埋め
込まれた「埋め込み文字」３１と電子機器で作成されたＯＳＤ表示３２の表示例を示す図
である。
【００５３】
図７（ｂ）に示すように、この実施形態においては、映像に埋め込まれた「埋め込み文
字」３１および電子機器で作成されたＯＳＤ表示３２は、両者が重ならないように、ＯＳ
Ｄ表示３２の表示位置を「埋め込み文字」３１の下側にずらして、映像表示部８に表示出
力している。
【００５４】
このＯＳＤ表示３２は、図７（ｂ）に示すように、映像表示部８の角部近傍に表示され
ている。
また、ここでは、上記「埋め込み文字」３１と上記ＯＳＤ表示３２は、映像表示部８に
表示された映像の左上角部に表示されている。
図７（ｃ）は、他の実施形態に係わる電子機器（映像表示装置）における、映像に埋め
込まれた「埋め込み文字」３１と電子機器で作成されたＯＳＤ表示３２の表示例を示す図
である。
【００５５】
図７（ｃ）に示すように、この実施形態においては、映像に埋め込まれた「埋め込み文
字」３１および電子機器で作成されたＯＳＤ表示３２は、両者が重ならないように、ＯＳ
Ｄ表示３２の表示位置を「埋め込み文字」３１の横（ここでは画面に向かって右）にずら
して、映像表示部８に表示出力している。
【００５６】
ここでは、上記「埋め込み文字」３１は上記映像の左上角部に表示されている。また、
上記ＯＳＤ表示３２は、上記映像の右上角部に表示されている。
また、この「埋め込み文字」３１およびこのＯＳＤ表示３２は、図７（ｃ）に示すよう
に、映像表示部８の角部近傍に表示されている。
図８は、他の実施形態に係わる電子機器（映像表示装置）における、映像に埋め込まれ
た「埋め込み文字」と電子機器で作成されたＯＳＤ表示（メニュー表示）の表示例を示す
図である。
【００５７】
この実施の形態においては、上記ＯＳＤ表示３２を、上記説明したチャンネル情報等の
情報を表示する内容から、放送種別等をユーザに選択可能に提供する、ＯＳＤ表示（メニ
ュー）８０に変更している。
【００５８】
ここでは、映像に埋め込まれた「埋め込み文字」３１は、「○○社  デジタルＴＶ」と
表示されている。また、ＯＳＤ表示（メニュー）８０は、例えば、「メニュー」の下に「
地上波デジタル放送」、「ＢＳデジタル放送」、「インターネット放送」と表示され、ユ
ーザは、例えばリモコン２１を操作し、これらの放送を選択し、指定することが可能であ
る。
【００５９】
図８（ａ）は、映像に埋め込まれた「埋め込み文字」３１と上記ＯＳＤ表示（メニュー
）８０が、映像表示部８に、重複して表示された例を示している。
ここでは、上記「埋め込み文字」３１と上記ＯＳＤ表示（メニュー）８０は、映像表示
部８に表示された映像のほぼ中央部に重複して表示されている。このため、例えば、「埋
め込み文字」３１を視認しにくくなり、ユーザの利便性が低下している。
【００６０】
図８（ｂ）は、他の実施形態に係わる電子機器（映像表示装置）における、映像に埋め
込まれた「埋め込み文字」３１と電子機器で作成されたＯＳＤ表示（メニュー）８０の表
示例を示す図である。
【００６１】
図８（ｂ）に示すように、この実施形態においては、映像に埋め込まれた「埋め込み文
字」３１および電子機器で作成されたＯＳＤ表示（メニュー）８０は、両者が重ならない
ように、ＯＳＤ表示（メニュー）８０の表示位置を上記映像表示の右上にずらして、映像
表示部８に表示出力している。
【００６２】
また、このＯＳＤ表示（メニュー）８０は、図８（ｂ）に示すように、映像表示部８の
角部近傍に表示されている。
また、ここでは、上記「埋め込み文字」３１は、映像表示部８に表示された映像のほぼ
中央部に表示されている。
図８（ｃ）は、他の実施形態に係わる電子機器（映像表示装置）における、映像に埋め
込まれた「埋め込み文字」３１と電子機器で作成されたＯＳＤ表示（メニュー）８０の表
示例を示す図である。
【００６３】
図８（ｃ）に示すように、この実施形態においては、映像に埋め込まれた「埋め込み文
字」３１および電子機器で作成されたＯＳＤ表示（メニュー）８０は、両者が重ならない
ように、ＯＳＤ表示（メニュー）８０の表示位置を上記映像表示の左上にずらして、映像
表示部８に表示出力している。
【００６４】
また、このＯＳＤ表示（メニュー）８０は、図８（ｃ）に示すように、映像表示部８の
角部近傍に表示されている。
また、ここでは、上記「埋め込み文字」３１は、映像表示部８に表示された映像のほぼ
中央部に表示されている。
図９は、他の実施形態に係わる電子機器（映像表示装置）における、映像に埋め込まれ
た「埋め込み文字」と電子機器で作成されたＯＳＤ表示を「字幕」に適用した場合の表示
例を示す図である。
【００６５】
この実施の形態においては、上記ＯＳＤ表示３２を、上記チャンネル情報等の情報を表
示する内容から、上記のようなクローズドキャプションや字幕放送に係る字幕を表示する
ＯＳＤ表示（字幕）９０に変更している。
【００６６】
ここでは、映像に埋め込まれた「埋め込み文字」３１は、「○○社  デジタルＴＶ」と
表示されている。また、ＯＳＤ表示（字幕）９０は、例えば、字幕  「○○○×××○○
○×××」と表示されている。
【００６７】
図９（ａ）は、映像に埋め込まれた「埋め込み文字」３１と上記ＯＳＤ表示（字幕）９
０が、映像表示部８に、重複して表示された例を示している。
ここでは、上記「埋め込み文字」３１は、映像表示部８に表示された映像のほぼ中央部
に表示されている。また、ＯＳＤ表示（字幕）９０は、映像表示部８に表示された映像の
高さ方向にはやや下側の高さであるが、横方向には上記映像のほぼ中央部に表示されてい
る。
【００６８】
このため、上記映像に埋め込まれた「埋め込み文字」３１と上記ＯＳＤ表示（字幕）９
０は、重複し、例えば、「埋め込み文字」３１を視認しにくくなり、ユーザの利便性が低
下している。
【００６９】
図９（ｂ）は、他の実施形態に係わる電子機器（映像表示装置）における、映像に埋め
込まれた「埋め込み文字」３１と電子機器で作成されたＯＳＤ表示（字幕）９０の表示例
を示す図である。
【００７０】
図９（ｂ）に示すように、この実施形態においては、映像に埋め込まれた「埋め込み文
字」３１および電子機器で作成されたＯＳＤ表示（字幕）９０は、両者が重ならないよう
に、ＯＳＤ表示（字幕）９０の表示位置を上記映像表示の上側にずらして、映像表示部８
に表示出力している。
【００７１】
このとき、このＯＳＤ表示（字幕）９０は、図９（ｂ）に示すように、映像表示部８の
周辺部近傍に表示されている。
また、ここでは、上記「埋め込み文字」３１は、映像表示部８に表示された映像のほぼ
中央部に表示されている。
図９（ｃ）は、他の実施形態に係わる電子機器（映像表示装置）における、映像に埋め
込まれた「埋め込み文字」３１と電子機器で作成されたＯＳＤ表示（字幕）９０の表示例
を示す図である。
【００７２】
図９（ｃ）に示すように、この実施形態においては、映像に埋め込まれた「埋め込み文
字」３１および電子機器で作成されたＯＳＤ表示（字幕）９０は、両者が重ならないよう
に、ＯＳＤ表示（字幕）９０の表示位置を上記映像表示の下側にずらして、映像表示部８
に表示出力している。
【００７３】
また、このＯＳＤ表示（字幕）９０は、図９（ｃ）に示すように、映像表示部８の周辺
部近傍に表示されている。
また、ここでは、上記「埋め込み文字」３１は、映像表示部８に表示された映像のほぼ
中央部に表示されている。
図１０は、実施形態に係わる電子機器（映像表示装置）１において、「埋め込み文字」
の領域を検出する検出動作の一例を説明する図である。
図１０（ａ）は、映像表示部８に表示される映像における「埋め込み文字」の検出領域
（領域検出）１００、すなわち、上記「埋め込み文字」の位置に係る情報を検出し、取得
するようすを示す図である。
【００７４】
この取得される「埋め込み文字」の位置に係る情報は、上記映像における「埋め込み文
字」の表示領域に係る情報を含んでいる。
ここでは、この「埋め込み文字」の表示領域は、例えば、図１０（ａ）に示すように、
この「埋め込み文字」を含む矩形（四角形）の領域である。
また、この実施の形態においては、後述するように、例えば、上記映像の映像信号から
少なくとも１画面分のビットマップ映像（静止画等）を作成し、このビットマップ映像（
静止画等）を用い、この「埋め込み文字」を含む四角形の領域１００の位置に係る情報を
取得する。
【００７５】
図１０（ｂ）は、上記「埋め込み文字」を含む四角形の領域１００の位置の例を特定す
る方法の一例を説明する図である。
例えば、電子機器１の映像表示部は、横方向は１９２０ピクセル、縦方向は１０８０ピ
クセルのＬＣＤ等で構成される。
そして、ここでは、上記「埋め込み文字」を含む四角形の領域１００は、例えば、図１
０（ｂ）に示すように、基準座標（Ｘ，Ｙ）は（１２００，０）、ここから長さ方向に７
２０ピクセル、高さ方向に２００ピクセルと表現される。
【００７６】
このように、「埋め込み文字」を含む四角形の領域１００の位置が特定される。
図１１は、実施形態に係わる電子機器（映像表示装置）で利用する、一般的な文字認識
技術（例えば、ＯＣＲ）の動作を説明するフローチャートである。
画像等から文字を認識する技術に、例えば、光学文字認識（こうがくもじにんしき、Op
tical Character Recognition）がある。光学文字認識は、活字の文書の画像（通常はイ
メージスキャナーで取り込まれる）をコンピュータが編集できる形式（文字コードの列）
に変換であり、例えば、ソフトウェア等で構成される。
【００７７】
光学文字認識は、一般に、ＯＣＲと略記される。光学文字認識は、以前は、鏡やレンズ
という光学技術を使用していたためこのように呼ばれるが、現在は、スキャナーやアルゴ
リズムによるデジタル文字認識も光学文字認識に含まれることが多い。
【００７８】
ここでは、例えば、ＯＣＲで文字を認識する際に、画像としてではなく、文字として読
み込む動作を説明する。
ＯＣＲにおいては、（１）まず、２値化処理（白と黒に分離）、または濃淡の変化点か
ら文字の切り出しを行う。
（２）次に、文字と背景の分離を行なう。例えば、文字を連続した塊として認識し、そ
の境界線を探し、矩形で領域（エリア）を求める。
（３）次に、上記切り出した文字の塊を、ベクトル化や交点位置情報や端点位置情報等
のデーターベース化した辞書と比較する。
（４）次に、上記比較した辞書で、スコアが高い（似ている）辞書文字を出力する。
この実施の形態においては、この光学文字認識（デジタル文字認識）技術を利用する。
なお、この実施の形態においては、上記光学文字認識（デジタル文字認識）技術の一部
、すなわち、上記（１）および上記（２）の処理を利用する。
図１１に示す、ステップＳ１００は、ここでの開始ステップである。続いて、ステップ
Ｓ１０１に進む。
ステップＳ１０１は、映像を取得するステップである。この実施の形態においては、映
像は、例えば、ビットマップ形式等で取得される。続いて、ステップＳ１０２に進む。
【００７９】
ステップＳ１０２は、上記取得された映像に文字が含まれるかを判別するステップであ
る。上記取得された映像に文字が含まれると判別される場合は、ステップＳ１０３に進む
（Ｙｅｓ）。上記取得された映像に文字が含まれないと判別される場合は、ステップＳ１
０５に進む（Ｎｏ）。この映像に文字が含まれるかの判別に、例えば、上記（１）の文字
の切り出しが用いられる。
【００８０】
ステップＳ１０３は、上記映像における文字の領域を検出するステップである（領域検
出）。例えば、上記（２）のように、映像に含まれる文字の領域を、矩形の領域（エリア
）として求める。続いて、ステップＳ１０４に進む。
【００８１】
ステップＳ１０４は、上記検出された文字領域における文字を認識するステップである
（文字認識）。例えば、上記（３）および（４）のように、検出された文字領域における
文字を認識する。続いて、ステップＳ１０５に進む。
【００８２】
ステップＳ１０５は、終了ステップであり、ここでの処理は終了する。
図１２は、実施形態に係わる電子機器（映像表示装置）１の動作を説明するフローチャ
ートである。
ステップＳ２００は、ここでの開始ステップである。続いて、ステップＳ２０１に進む
。
ステップＳ２０１は、電子機器（映像表示装置）１の電源をＯＮにするステップである
。続いて、ステップＳ２０２に進む。
ステップＳ２０２は、デジタル放送やインターネット放送等の放送で放送される映像コ
ンテンツや記録媒体等から再生出力された映像コンテンツの映像信号を受信するステップ
である。続いて、ステップＳ２０３に進む。
【００８３】
ステップＳ２０３は、受信した映像コンテンツに係る映像信号をデコード処理するステ
ップである。続いて、ステップＳ２０４に進む。
ステップＳ２０４は、上記デコード処理された映像信号から、例えば、１画面分のビッ
トマップ映像（静止画）を作成するステップである。続いて、ステップＳ２０５に進む。
【００８４】
ステップＳ２０５は、上記映像信号から作成された映像（例えば、ビットマップ映像）
に文字が含まれるかを検出するステップである。ここで、この実施の形態においては、上
記のような、光学文字認識（デジタル文字認識）技術を利用する。続いて、ステップＳ２
０６に進む。
【００８５】
ステップＳ２０６は、上記映像信号から作成された映像（例えば、ビットマップ映像）
に文字が含まれるかを判別するステップである。上記映像信号から作成された映像（例え
ば、ビットマップ映像）に文字が含まれると判別される場合は、ステップＳ２０７に進む
。
【００８６】
ステップＳ２０７は、上記映像信号から作成された映像（例えば、ビットマップ映像）
における文字領域の位置を検出（文字領域位置検出）するステップである。ここでは、例
えば、上記図１０に示すように、基準座標（Ｘ，Ｙ）＝（１２００，０）、長さ７２０ピ
クセル、高さ２００ピクセルが「埋め込み文字」３１の文字領域の位置として検出されて
いる。続いて、ステップＳ２０８に進む。
【００８７】
ステップＳ２０８は、上記図４、図５、図６、図７、図８、図９に示すようなＯＳＤ表
示（ＯＳＤ３２、ＯＳＤ（メニュー）８０、ＯＳＤ（字幕）９０）の表示指示があるかを
判別するステップである。上記ＯＳＤ表示の表示指示があると判別される場合は、ステッ
プＳ２０９に進む（Ｙｅｓ）。上記ＯＳＤ表示の表示指示がないと判別される場合は、ス
テップＳ２１０に進む（Ｎｏ）。
【００８８】
ステップＳ２０９は、上記検出された「埋め込み文字」の文字領域１００と上記ＯＳＤ
表示の表示予定位置は重複する部分があるかを判別するステップである。上記検出された
「埋め込み文字」の文字領域１００と上記ＯＳＤ表示の表示予定位置は重複する部分があ
ると判別される場合は、ステップＳ２１１に進む（Ｙｅｓ）。上記検出された「埋め込み
文字」の文字領域１００と上記ＯＳＤ表示の表示予定位置は重複する部分はないと判別さ
れる場合は、ステップＳ２１２に進む（Ｎｏ）。
【００８９】
ステップＳ２１０は、上記ＯＳＤ表示を表示しないステップである。続いて、ステップ
Ｓ２１３に進む。
ステップＳ２１１は、上記ＯＳＤ表示領域を上記表示予定位置からずらし、上記「埋め
込み文字」の文字領域１００に重ならない位置にＯＳＤ表示を表示出力するステップであ
る。上記図４乃至図９に示すように、ＯＳＤ表示を、例えば、上記「埋め込み文字」の文
字領域１００の上、下、横に表示する。続いて、ステップＳ２１２に進む。
【００９０】
ステップＳ２１２は、上記表示予定位置に上記ＯＳＤ表示を表示するステップである。
続いて、ステップＳ２１３に進む。
ステップＳ２１３は、例えば、上記のように「地上波デジタル放送」、「ＢＳデジタル
放送」、「インターネット放送」等の放送や受信チャンネルが切替えられたり、記憶媒体
に記憶された映像コンテンツの再生出力が切替えられたりして、電子機器１が受信する映
像コンテンツが切替えられ、新しい映像コンテンツが受信されたかを判別するステップで
ある。上記のように、新しい映像コンテンツが受信されたと判別される場合は、ステップ
Ｓ２０２に進み、上記処理を繰り返す（Ｙｅｓ）。新しい映像コンテンツが受信されない
と判別される場合は、ステップＳ２１４に進む（Ｎｏ）。
【００９１】
ステップＳ２１４は、例えば、予め決められた一定時間をカウントするステップである
。例えば、1/30秒程度から数秒程度カウントする。続いて、ステップＳ２１５に進む。
【００９２】
ステップＳ２１５は、上記一定時間が経過したかを判別するステップである。上記一定
時間が経過したと判別される場合は、ステップＳ２０２に進み、上記処理を繰り返す（Ｙ
ｅｓ）。上記一定時間が経過しないと判別される場合は、ここでの処理を繰り返す（Ｎｏ
）。
【００９３】
上記のように、この実施の形態においては、放送番組等の映像に含まれる、例えば、ア
イコン（ロゴ等）や映像に埋め込まれた文字等の「埋込み文字」３１の領域が、電子機器
１で作成されたＯＳＤ表示（３２、８０、９０）等と重なって表示されないように、ＯＳ
Ｄ表示の表示位置をずらして表示する。
【００９４】
また、この応用例として、「埋込み文字」３１の領域が、ＯＳＤ表示の表示予定位置と
重なる場合は、上記ＯＳＤ表示を、一時的に、表示しないようにすることも可能である（
非表示）。
【００９５】
また、上記ＯＳＤ表示は、例えば、ユーザによってリモコン２１が操作され、表示指示
を受けた場合に、その都度、表示出力されるように構成することも可能である。この場合
も、上記のように、「埋込み文字」３１の領域が、電子機器１で作成されたＯＳＤ表示と
重なって表示されないように、ＯＳＤ表示の表示位置をずらして表示することが望ましい
。
【００９６】
図１３は、他の実施形態に係わる電子機器（映像表示装置）の動作を説明するフローチ
ャートである。
ここでは、例えば、図３（ｃ）に示すように、「埋込み文字」３１の領域が、上記ＯＳ
Ｄ表示３２の表示位置と重なる場合の他の実施形態を説明する。
この、他の実施形態においては、「埋込み文字」３１の領域とＯＳＤ表示３２の表示位
置が重なる場合に、「埋込み文字」３１が、例えば、所定時間表示されるかを判別し、「
埋込み文字」３１が所定時間表示されると判別される場合は、ＯＳＤ表示３２の表示位置
をずらしたり、ＯＳＤ表示３２の表示を止めたりする。
【００９７】
ステップＳ３００は、ここでの開始ステップである。続いて、ステップＳ３０１に進む
。
ステップＳ３０１は、上記ＯＳＤ表示３２と上記「埋込み文字」３１を表示する文字領
域は重なるかを判別するステップである。上記ＯＳＤ表示３２と上記「埋込み文字」３１
を表示する文字領域が重なると判別される場合は、ステップＳ３０２に進む（Ｙｅｓ）。
上記ＯＳＤ表示３２と上記「埋込み文字」３１を表示する文字領域が重ならないと判別さ
れる場合は、ステップＳ３０１の処理を繰り返す（Ｎｏ）。
【００９８】
ステップＳ３０２は、上記「埋込み文字」３１を表示する文字領域と重なったままＯＳ
Ｄ表示３２を表示するステップである。続いて、ステップＳ３０３に進む。
ステップＳ３０３は、予め決めた所定時間（例えば５秒間）をカウントするステップで
ある。続いて、ステップＳ３０４に進む。
ステップＳ３０４は、上記のようにＯＳＤ表示３２を重ねて表示し、予め決めた所定時
間が経過したかを判別するステップである。上記のようにＯＳＤ表示３２を重ねて表示し
、予め決めた所定時間が経過したと判別される場合は、ステップＳ３０５に進む（Ｙｅｓ
）。予め決めた所定時間が経過しないと判別される場合は、ステップＳ３０４の処理を繰
り返す（Ｎｏ）。
【００９９】
ステップＳ３０５は、上記「埋込み文字」３１の文字領域に文字は表示されているかを
判別するステップである。上記「埋込み文字」３１の文字領域に文字は表示されていると
判別される場合は、ステップＳ３０６に進む（Ｙｅｓ）。上記「埋込み文字」３１の文字
領域に文字は表示されていないと判別される場合は、ステップＳ３０１に進み、上記処理
を繰り返す（Ｎｏ）。
【０１００】
ステップＳ３０６は、上記ＯＳＤ表示３２を上記「埋込み文字」３１の文字領域からず
らして表示する、またはＯＳＤ表示３２をＯＦＦ表示（ＯＳＤ表示３２を表示しない）す
るステップである。続いて、ステップＳ３０７に進む。
【０１０１】
ステップＳ３０７は、終了ステップであり、ここでの処理は終了する。
このように構成することにより、例えば、上記「埋込み文字」３１が図３（ｃ）に示す
ような「時刻情報（時報）」や野球中継のスコア情報、サッカー中継等のスコア情報等は
、「埋込み文字」が比較的長時間、継続して表示されるので、上記のように、ＯＳＤ表示
３２を「埋込み文字」３１の文字領域からずらして表示したり、ＯＳＤ表示３２をＯＦＦ
表示したりすることで、ユーザの利便性を向上させることが可能になる。
【０１０２】
なお、上記ＯＳＤ表示３２をずらした表示や、上記ＯＳＤのＯＦＦ表示は、所定時間経
過後に、元の位置へ表示するようにすることも可能である。
また、上記「埋込み文字」３１がニュース番組等で表示される「キャスター名」等や図
９に示すような社名の表示（例えば、「○○社デジタルＴＶ」）等の場合は、「埋込み文
字」３１の表示が短時間の間に、表示ＯＮされたり、ＯＦＦされたりすることがある。
【０１０３】
この短時間の表示ＯＮ、ＯＦＦに応じて逐次、ＯＳＤ表示３２をずらして表示すると、
ユーザにとって煩雑である。
このため、例えば、上記のように、「埋込み文字」３１の表示が短時間に切り替わるよ
うな場合は、ＯＳＤ表示３２を頻繁にずらさないように、例えば、上記所定時間（５秒間
）は、上記重ねた表示を行う。これによって、ユーザの利便性を向上させることが可能に
なる。
【０１０４】
すなわち、この、他の実施形態においては、「埋込み文字」３１の領域とＯＳＤ表示３
２の表示位置が重なる場合に、上記所定時間経過後に、ＯＳＤ表示３２の表示位置をずら
したり、ＯＳＤ表示３２の表示を止めたりする。
【０１０５】
上記のように構成することによって、この発明の実施形態においては、映像に埋め込ま
れた「埋め込み文字」と電子機器で作成されたＯＳＤ表示が、表示画面上で重なって表示
されることを防止し、ユーザの利便性を向上させることが可能になる。
【０１０６】
なお、上記実施形態の制御処理の手順はソフトウェアによって実行することが可能であ
る。そして、制御処理の手順を実行するプログラムを格納したコンピュータ読み取り可能
な記憶媒体を通じ、このプログラムを通常のコンピュータにインストールして実行するこ
とで、上記実施形態と同様の効果を実現することができる。
【０１０７】
なお、上記実施形態は、記述そのものに限定されるものではなく、実施段階では、その
趣旨を逸脱しない範囲で、構成要素を種々変形して具体化することが可能である。
【０１０８】
また、上記実施形態に開示されている複数の構成要素の適宜な組み合せにより種々の発
明を形成できる。
例えば、実施形態に示される全構成要素から幾つかの構成要素を削除してもよい。更に
、異なる実施形態に亘る構成要素を適宜組み合せてもよい。
【符号の説明】
【０１０９】
１…電子機器（映像表示装置）、２…アンテナ、３…チューナ、４…信号処理部、５…
映像処理部、６…音声処理部、７…表示装置、８…表示画面（映像表示部）、９…スピー
カ、１０…バス、１１…制御部、１２…ＭＰＵ、１３…ＲＡＭ、１４…ＲＯＭ、１５…フ
ラッシュメモリ、１６…記憶部、１７…内部記録装置、１８…外部インターフェース、２
５…放送局、３１…埋め込み文字、３２…ＯＳＤ（ＯＳＤ表示）。
【図１】
2012253470.tif 000003
【図２】
2012253470.tif 000004
【図３】
2012253470.tif 000005
【図４】
2012253470.tif 000006
【図５】
2012253470.tif 000007
【図６】
2012253470.tif 000008
【図７】
2012253470.tif 000009
【図８】
2012253470.tif 000010
【図９】
2012253470.tif 000011
【図１０】
2012253470.tif 000012
【図１１】
2012253470.tif 000013
【図１２】
2012253470.tif 000014
【図１３】
2012253470.tif 000015